(57)【特許請求の範囲】
【請求項１】
側壁（２、３）、後壁（４）及び底壁（７Ｂ）を含む筐体（１、８８）と、該情報キャリヤ（１０）を収容するキャリヤ（１２）を含み、
該キャリヤ（１２）は、該底壁（７Ｂ）にほぼ平行な平面において移動することができ、かつ歯車（２０）を備えている情報キャリヤ（１０）のための保管移送装置において、
該歯車（２０）が、該キャリヤ（１２）の外縁（１６）に設けられており、該側壁（２、３）と一体の要素（６）に設けられた歯車（２０）と噛み合い、且つ該キャリヤ（１２）上のスタッド（１７）が、該底壁（７Ｂ）の溝（８）と掛合することによって、上記２つの歯車（２０）の噛み合いが維持される
ことを特徴とする保管移送装置。
【発明の詳細な説明】
【０００１】
【産業上の利用分野】
本発明は、保管装荷位置において情報キャリヤを保持し、区画室又は筺体の外側の位置にそれを移送する区画室筺体組込み手段等の情報キャリヤの保管移送装置に関する。さらに詳細には、それは、例えば、コンパクトディスク、光/磁気ディスク等の円形の周囲を有するものの如く、再生/記録品質に影響を与えるひっかき、指紋、ほこり等に特に敏感な表面を有する情報キャリヤに関する。
【０００２】
【従来の技術及び発明が解決しようとする課題】
この発明の主な目的は、その表面との接触を避けるために、使用者又は記録/再生装置の動力装荷機構によって、その周囲及び／又はその中心穴によりピックアップすることができるように、保管区画室の十分に外側に該情報キャリヤを呈示することである。
【０００３】
旋回カバーを有する所謂「宝石」箱と呼ばれる保管装置は、上記の基準を満たすものであるが、動力機構によって使用できない。さらに、それらは、カバーの開放のために大きな空間を必要とするために容積が大きく、また、両手の使用を必要とするために、ディスクを抽出する際に、ドライバーの取り扱いのために適切ではない。
【０００４】
すべての他の市販される保管装置と、さらに詳細には、自動車用途のために設計されたものは、所謂「引き出し」形式であるが、それらは、ディスクを非常に限定された距離しか突出させず、こうして、ユーザーは親指と人差し指の間でそれらをつかみ、結果として、ディスク表面との不可避の望ましくない接触を生ずる。そのような装置の典型例は、ドイツ特許３７ ２８ １１３ Ｃ２において開示される。
【０００５】
ＵＫ特許５８９．１８７において開示された装置は、保管区画室の外側に大きな程度ディスクを突出させるが、そのサイズは、ディスクキャリヤの旋回移動のために、容積が大きい。
【０００６】
同時譲渡された日本出願２６９．６８１／８４は、上記のものよりも小形の装置を開示するが、ディスクは、斜めに挿入されなければならず、これは、装置が設置される必要な空間が常に利用可能であるわけではないために、常に容易又はを適切であるわけではない。
【０００７】
本発明の目的は、こうして、保管位置において情報キャリヤを保持し、区画室の完全に内側の位置からその主要部分が区画室の外側にあるピックアップ装荷位置にそれを移送する、小形、簡単、低費用の実施が容易な保管装置を提案することにより、上記の欠点に対処することである。
【０００８】
発明の関連目的は、使用者に情報キャリヤの表面に触らせない装置を提案することである。さらに詳細には、ディスクに対して、発明は、ユーザー又は装荷機構により、その周囲及び／又は中心穴によって情報キャリヤを取り扱うことを可能にする。
【０００９】
いっそうの目的は、情報キャリヤよりも僅かに大きなサイズの装置を提供することである。
【００１０】
いっそうの目的は、操作が容易で簡単な装置を提供することである。
【００１１】
いっそうの目的は、その情報表面に接触することなく、保管区画室内の情報キャリヤの存在を指示する簡単な手段を提案することである。
【００１２】
発明の別の目的は、単一情報支持ユニットのための単一区画保管又はマガジン形式保管ユニットにおける複数又は多重の区画室のために適切な保管移送装置を提供することである。
【００１３】
【課題を解決するための手段】
これらの目的を達成するために、本発明の装置は、本質的に、その独立クレームの内容を特徴とする。
【００１４】
他の特性、利点、及び特殊性は、非限定的に与えられた３つの好ましい実施態様の次の詳細な説明から明らかになるであろう。これらの実施態様に対して多様な改良が、発明の範囲に反することなく為される。
【００１５】
【実施例】
単純性の目的のために、すべての図において、発明の理解のために必要な要素のみが示され、そして、多様な実施態様に共通な要素は、同一の参照符号を持つ。
【００１６】
図１〜図５に示された如く、第１実施態様において、発明の装置は、単一ディスクを保管するための筺体区画室、もしくは、複数のディスクのための複数の隣接する区画室（３つが図２に示される）において組み込まれる。いずれの場合にも、装置は、側壁２、４及び後壁３を有するほぼ平行六面体形状の筺体１に組み込まれ、前壁は、ドア５であり、情報キャリヤを構成する（点線で示された）ディスク１０の挿入、除去を許容するために旋回し、ばね５０（図４）、底壁７Ｂとカバー７Ａによって閉位置において保持される。
【００１７】
発明を実施する際に、装置は、ディスク１０と同一の曲率の周囲内側アーチである縁１３を有するおおよそ２５０°のセクタの形状の移動用のキャリヤ１２を具備する。縁１３に沿った固定脚１４は、同時譲渡された日本特許１．５７４．３１８において記載された如く、好ましくはＶ形状の該キャリヤ１２の上面に対してディスク１０の周囲を圧接させ、その周囲を除いて、ディスク表面との接触を防止する。側方に位置付けられキャリヤ１２の中心に向かって曲がるたわみ脚１５は、ディスク１０の周囲と協同し、それを縁１３に対して圧接させ、保管位置においてディスクをロックし、移送中、衝撃又は振動から移動しないように、それを固定する。
【００１８】
さらに、発明を実施する際に、キャリヤ１２の外縁１６の部分は、側壁４の要素６と協同する。最も好ましい実施態様において、要素６は、僅かに曲面のプロフィルを有し、外縁１６の部分を装備させるものと同一の歯車２０を保持し、その結果、キャリヤ１２は、すべりなしに、要素６の上を転がる。
【００１９】
キャリヤ１２は、その下面において、スタッド１７を保持し、底壁７Ｂにおいて設けられた溝８と協同して、その転がり移動を案内し、歯車２０を噛合させて維持するが、その周囲において、それは、２つのプロングを有するフォーク３１が旋回するシャフト３０を保持する。第１プロング３２は、底壁７Ｂにおいて設けられた溝３６によって案内されたスタッド３４を保持する。第２プロング３３は、たわみやすく、キャリヤ１２の下面のくぼみ２８の縁２７と協同する。溝３６の左端４０（図３）は、特別の形状を有する。部分４０Ａは、スタッド３４と、こうして、キャリヤ１２を図１に示された位置においてロックするためにつめ車として役立ち、他の部分４０Ｂは、溝３６にスタッド３４を押し込み、キャリヤに板バネ４２のような弾性手段の作用を受けさせ、その丸端４３は、その外縁１６の素回し部分に突き当たらせる。その他端は、側壁２及び後壁３のかどにおいて固定される。
【００２０】
ディスク１０が筺体１に保管される時、すべての上記の要素は、図１に示された安定位置にある。たわみ脚１５の先端１５Ｂは、筺体１からディスク１０の周囲によって押し出され、こうして、キャリヤ１２の縁１９とドア５から突出し、視覚触覚式に、その情報表面との接触なしに、ディスクの存在を指示する。
【００２１】
筺体を開放するために、使用者は、制御ボタンとして役立つ縁１９を筺体の内側の方へ僅かに押し、事実、結果として、キャリヤ１２は、板バネ４２の抵抗に反してそのスタッド１７の周りで僅かに旋回し、スタッド３４は、つめ車を構成する部分４０Ａを通過し、部分４０Ｂと溝３６において移動する。板バネ４２の作用下で、キャリヤ１２は、ばね５０の作用に反してドア５を下方に旋回させ、その外縁１６と要素６における歯車２０の噛合によって制御されながら、筺体１の外側で転がり始める。
【００２２】
同時に、溝３６のプロフィルは、スタッド３４を横に駆動させ、フォーク３１を時計回り方向に旋回させる（図３）。好ましくは、この旋回は、摩擦抵抗を受け、キャリヤ１２が移動する時、加速を回避する。それから、第２プロング３３は、縁２７に突き当たり、僅かに変形され、スタッド３４とこうしてキャリヤ１２の移動をさらに減速させ、ディスク１０が使用者によってピックアップされる排出位置（図３）において緩やかな停止を保証する。キャリヤ１２の慣性を縮小するために、アパーチュア１８が、その中に設けられる。発明の装置のために、ディスクの半分以上が、筺体１の外側に位置し、これにより、ディスクは、その周囲及び／又は中心穴１０Ａによって容易につかむことができる。この排出位置は、要素６の曲面プロフィルによって設けられ、これはまた、筺体１をコンパクト形状にする。同様の結果は、要素６の直線プロフィル（図５）で獲得されるが、キャリヤ１２の外縁１６の曲率は、その内縁１３のそれから偏向する。
【００２３】
筺体を閉じるために、使用者は、単に、筺体の内側の方へ縁１９又は制御ボタンを押さなければならない。結果として、キャリヤ１２は、板バネ４２の作用に反して、歯車２０の噛合のために、すべりなしに旋回及び転回する。最後に、スタッド３４は、つめ車として役立つ部分４０Ａに掛合し、従って、キャリヤ１２は、保管位置（図１）においてロックされる。ドア５は、ばね５０の作用によって閉じられる。
【００２４】
キャリヤ１２のこの特定の移動（すべりのない転回）のために、筺体１は、旋回カバーを有する保管箱とほぼ同様に小さくなり、そのような特徴は、利用可能な空間が極めて限られた自動車応用のために非常に重要である。さらに、そのようなコンパクトなサイズは、保管区画室を極めて剛性にし、こうして、費用を増大させる補強又は特定の設計は、必要とされない。
【００２５】
さらに、保管用の筺体１は、縮小厚であり、従って、非常に多数が、特定の容積において提供される。制御ボタンを構成する縁１９が、互いに重なり、区別が不安定になるのを回避するために、それらは、最も好ましい実施態様において、対称的にオフセットされ（左右のもの、図１〜図１９と図１９Ａにおいて破線）、その結果、それらは、それらの中央部分においてのみ重なる。
【００２６】
ディスクがキャリヤ１２上にない時、たわみ脚１５は、筺体１の内側で旋回され、こうして、その先端１５Ｂは、区画室のドア５を通ってしないから突出しない。結果として、それは、可視でなく、存在しない。
【００２７】
ディスクの存在又は不在のそのような視覚及び触覚の指示は、自動車に搭載され組み込まれた保管区画室、もしくは、使用者は、ディスクを保管するか又は別のディスクを選択するために空き区画室を探すためにディスクの不在又は存在に容易に気付くために、身体障害者のために特に有利である。さらに、制御ボタンを構成する縁１９内に位置付けられることにより、それは、使用者に選択キャリヤ１２を直接に作動させることを可能にする。
【００２８】
好ましい実施態様において、殆ど閉じた筺体１では、キャリヤ１２が外側の方へ旋回する時、吸引が、側壁２、４及び後壁３と外縁１６の間の空間において生ずることが観察されたために、スロットよりも溝８、３６を使用することが、ずっと好ましく、該縁の高さは、キャリヤの外側移動を減速させる該筺体の内部厚にほぼ対応し、こうして、フォーク３１の第２プロング３３のたわみ性は、増大され、その排出位置においてキャリヤ１２のなめらかな停止を設ける。
【００２９】
図６、図７を参照すると、この特定の実施態様において、発明によるディスク保管移送機構が、所謂「引き出し」形式ユニットのディスク装荷方式において組み込まれ、それらの深さを縮小し、それらを小型化させる。実際、そのような「引き出し」形システムは、該引き出しがユニットの内側にあり、こうして、それらの深さが極めて大きい時、大きい体積を占める横キャリヤを組み込む。
【００３０】
例証された如く、プレーヤー／レコーダーユニットは、側壁２、４、後壁３、前壁であるドア５と底壁７Ｂを有する区画室を用意する引き出し筺体１を具備し、キャリヤ１２は、放射状開口５２を有し、ディスク駆動部５４と光学再生/記録手段５６にディスクをアクセス及び走査させる。キャリヤ１２は、好ましくは、カップ形状であるが、その縁１３は、使用者により置かれたディスクの適正なセンタリングを保証し、その移送中、それを保持する。
【００３１】
側壁４はまた、キャリヤのスタッド１７が、底壁７Ｂに設けた溝８において移動する間、キャリヤ１２の外縁１６のものと同一の歯車２０を有する湾曲した要素６を保持する。
【００３２】
底壁７Ｂと側壁４によって支持された移動スライダ５８は、スタッド１７に掛合する溝６２を有する脚６０を保持し、一方、移動スライダに設けた歯車６４は、移動スライダ５８を前後に駆動するために、モーター６８によって制御された動力手段の出力歯車６６と噛み合う。
【００３３】
機構がその閉じた演奏位置にある時、すべての上記の要素は、図６に示された位置にある。ディスク１０の直径よりも僅かに大きなこのユニットの小さな深さが注目される。
【００３４】
モーター６８が動力を供給される時、傾斜路７８と協同する横スタッド７６によって案内された可動フレーム７４に搭載されたディスク駆動部５４と光再生／記録手段５６は、まず、不干渉位置に下降され、一方、底壁７Ｂは、僅かに変位され、それから、移動スライダ５８は、矢印方向Ｆにおいて併進される（図６）。結果として、溝６２は、溝８に沿って移動させながらスタッド１７を前方に移動させ、要素６と縁１６に設けた歯車２０のために、第１実施態様において記載された如く、すべりなしにキャリヤ１２を転回させる。
【００３５】
それから、キャリヤ１２は、図７に示された位置に到達し、ここで、使用者は、その中心穴、周辺部によりディスクを容易にピックアックし、もしくは、ディスクを設置することができる。
【００３６】
ユニットが、図７に示された装荷位置にあり、ディスクがキャリヤ１２に設置された後、動作位置にセットされる時、モーター６８は、逆方向において作動され、スライダ５８は、内側に併進される。キャリヤ１２が、逆順序で上記の段階を行うことにより、ユニットの十分に内側に駆動された後、底壁７Ｂは、ディスクを走査するために、ディスク駆動部５４と光再生／記録手段５６を動作位置にするために変位される。上記の実施態様において、スライダ５８は、その移動の終端の近くで、ディスク駆動部５４と光再生／記録手段５６を支持するフレーム７４に掛合し、その横スタッド７６を案内する傾斜路７８によって上昇させる。キャリヤ１２のレベルよりも上昇されたディスクは、自由回転することができる。
【００３７】
図８〜図１１において記載された第３実施態様を参照すると、発明の目的である装置が、ディスクチェンジャー、さらに詳細には、ＣＤ又はＤＶＤチェンジャーにおいて組み込まれる。簡易性のために、図面が混乱しないように、唯一のディスク区画室と非常に露出したＣＤ機構が、表現された。
【００３８】
チェンジャーは、基本的に、２つの主要素を具備する。即ち、多数（例えば、５〜１２）のディスク１０を収容し、チェンジャーに対して挿入又は除去されるディスクカートリッジ８０と、なかでもディスク駆動部５４と光再生／記録手段５６を保持する旋回可能なシャシ８４（図１０）を支持するプレーヤーフレーム８２である。プレーヤーフレーム８２は、ディスクカートリッジ８０に関して垂直に可動であり、その結果、それは、再生又は記録のために選択されたディスク１０と心合せして位置付けられる。
【００３９】
ディスクカートリッジ８０は、重畳された幾つかのディスク区画室を具備するが、図８〜図１０に示された如く、唯一の区画室８８が、表現される。各区画室８８は、側壁２、４、後壁３、底壁７Ｂとキャリヤ１２を具備し、その外縁１６の部分が側壁４の部分６の歯車と噛合する歯車２０を保持するために、側壁４に関してすべりなしに転回するセクタから作成される。
【００４０】
この実施態様において、キャリヤ１２は、図１に示されたものに近い半環状形状を有し、そのディスク駆動部５４と光再生／記録手段５６においてディスク１０の装填を可能にする。２つの完全に対向した位置において、キャリヤ１２は、ディスク保有手段９０を保持し、各ディスク保有手段は、たわみ脚がディスク１０の周囲と協同する円錐状スタッド９２を保持して成り、それを内縁１３に対して押し、こうして、保管位置にある時又は移転中、移動、振動に対してそれをロックする。
【００４１】
キャリヤ１２は、区画室８８の底壁７Ｂに設けた溝８と、該キャリヤ１２と底壁７Ｂの中間に位置したスライダ９６に設けた溝９４に同時に掛合するスタッド１７を保持する。該スライダ９６は、側壁４から僅かに突出する一方の動作端部縁９８を有し、他方の端部１００は、２つの安定位置を該スライダ９６に設けるために、区画室の底壁７Ｂにおける弾性手段１０２と協同する（図８、図９）。
【００４２】
スライダ９６は、底壁７Ｂにおいて設けた溝１０６に掛合する該スライダ９６におけるスタッド１０４によって案内された前後の直線移動を行うことにより、噛合する歯車２０の制御下で、区画室８８の内側又は外側へのキャリヤ１２の移動に動力を供給する。
【００４３】
チェンジャーユニット内のカートリッジ８０の装荷を可能にするために、プレーヤーフレーム８２は、その最低レベルにおいて位置付けられる。一旦、ディスクが、手動で又は自動的に、選択されたならば、プレーヤーフレーム８２は、上方に移動され、その結果、可動腕１０８は、選択されたディスク１０のキャリヤ１２を制御するスライダ９６の動作端部縁９８に掛合する。それから、可動腕１０８は、スライダ９６の動作端部縁９８に掛合することにより、マイクロモーター１１０とそのノッチ１０９によって動力を供給された歯車列により矢印方向Ｎ（図８）において移動され、スタッド１７が溝８と溝９４との交差部によって駆動される時、キャリヤ１２のすべりのない回転に動力を供給するために、それを併進させる。
【００４４】
結果として、選択されたディスク１０は、図９に示された位置に到達し、そして可動腕１０８を駆動する機構（不図示）のいっそうの併進は、シャシ８４の旋回移動に動力を供給する（図１０）。該シャシは、たわみディスク保有手段９０に掛合する円錐状スタッド１１２を保持し、ディスク１０の周辺部からスタッド９２を旋回させ、ディスクを解放する。同時に、締め付け手段１１４は、ディスクのセンタリングを保証するために円錐状であるディスク駆動部５４においてディスク１０を締め付けるために旋回され、ディスクは、好ましくは、キャリヤ１２の内縁１３から僅かに移動される。完全に自由回転するディスク１０に対して、ディスク記録又は再生動作が、行われる。
【００４５】
別のディスクが、選択され、もしくは、マガジンが取り除かれなければならない時、可動腕１０８の移動は、逆転され、すべての上記の動作は、全く逆順序で行われる。締め付け手段１１４は、不作動位置に旋回され、同時に、シャシ８４は、下方に旋回され、その結果、円錐状スタッド１１２は、ディスク保有手段９０を解放し、ディスク１０の周囲の方へスタッド９２を逆に旋回させることにより、キャリヤ１２の内縁１３に対してそれを押し付け、移送中と保管位置において、移動、振動に対して該ディスクをロックする。
【００４６】
それから、可動腕１０８の後方併進は、スライダ９６に伝達され、図８に示された保管位置にキャリヤ１２を駆動させる。
【００４７】
カートリッジ８０にディスクをロード又はアンロードするために、一旦チェンジャーから除去されたならば、使用者は、図８と図９に示された２つの安定位置の間でスライダの動作端部縁９８を作動させる。
【図面の簡単な説明】
【図１】保管位置において、カバーなしに、ディスクの保管区画室に組み込まれた発明の第１実施態様の頂面図である。
【図２】カバーと付加的な隣接の区画室が破線で示された、図１に例示された装置の側面図である。
【図３】装置がピックアップ装荷位置にある図１に類似する図である。
【図４】図１の特別の要素の拡大側面図である。
【図５】代替的プロフィルの詳細図である。
【図６】演奏位置において示された単一ディスクユニットの装荷方式と組み合わされた発明の第２実施態様の頂面図である。
【図７】ユニットがピックアップ又はアンロード位置にある図６に類似する図である。
【図８】ディスクチェンジャーを提供するために、ディスクユニットと組み合わされた、多重区画室マガジンに対する発明の第３実施態様の部分的頂面図である。
【図９】ディスク移送機構とマガジンから外側に突出するディスクを有する図８に類似する図である。
【図１０】図９の線Ａ−Ａの平面において取られた部分断面図である。
【図１１】図９の線Ｂ−Ｂの平面において取られた僅かに拡大された部分断面図である。
【符号の説明】
１ 筐体
２ 側壁
３ 後壁
４ 側壁
５ ドア
６ 要素
７Ａ カバー
７Ｂ 底壁
８ 溝
１０ ディスク
１２ キャリヤ
１３ 縁
１４ 固定脚
１５ たわみ脚
１５Ｂ 先端
１６ 外縁
１７ スタッド
１９ 縁
２０ 歯車
２７ 縁
２８ くぼみ
３０ シャフト
３１ フォーク
３２ 第１プロング
３３ 第２プロング
３４ スタッド
３６ 溝
４０ 左端
４０Ａ 部分
４０Ｂ 部分
４２ 板バネ
４３ 丸端
５０ ばね
５２ 放射状開口
５４ デイスク駆動
５６ 光再生／記録手段
５８ 移動スライダ
６０ 脚
６２ 溝
６４ 歯車
６６ 出力歯車
６８ モーター
７４ 可動フレーム／フレーム
７６ 横スタッド
７８ 傾斜路
８０ デイスクカートリッジ
８２ プレーヤーフレーム
８４ シャシ
８８ 区画室
９０ デイスク保有手段
９２ スタッド
９４ 溝
９６ スライダ
９８ 動作端部縁
１００ 他方の端部
１０２ 弾性手段
１０４ スタッド
１０６ 溝
１０８ 可動腕
１０９ ノッチ
１１０ マイクロモーター
１０２ 円錐状スタッド
１０４ 締め付け手段
【図１】
0003887790.tif 000002
【図２】
0003887790.tif 000003
【図３】
0003887790.tif 000004
【図４】
0003887790.tif 000005
【図５】
0003887790.tif 000006
【図６】
0003887790.tif 000007
【図７】
0003887790.tif 000008
【図８】
0003887790.tif 000009
【図９】
0003887790.tif 000010
【図１０】
0003887790.tif 000011
【図１１】
0003887790.tif 000012